(57)【特許請求の範囲】
【請求項１】
輸送可能な強度を備えたコンテナ状構造の家屋と、前記家屋の内部に組み込まれた電気式ランドリー装置とを含み、
前記家屋は、前記ランドリー装置の振動を受けても実質的に振動しないように鋼製の梁を組んでなる床枠と、該床枠から立設した複数の柱と、該柱に周設した壁板と、該柱の上端に架設した上梁と、該上梁に載設した屋根とを含み、
前記床枠は、Ｈ型鋼よりなる外梁と、前記外梁内に縦横に架設された角形鋼よりなる内梁と、前記電気式ランドリー装置が設置される部分に更なる補強と振動対策のため架設されたＨ型鋼よりなる補強梁とを含み、
床板は、コンパネの二重張りとし、さらに前記電気式ランドリー装置が設置される部分は鋼板を設けることで補強されており、
前記床板の一部に吸気口及び排気口の両方を設け、
前記家屋の正面に出入口を設け、該出入口側に雨水が流れ落ちないよう前記屋根に後側ほど下がる片流れ勾配を設け、
前記出入口に出入口階段を設け、
前記出入口階段の縁上部に設けられ上下に細長いボルト孔を備えた階段固定部と、前記外梁とをボルトで締着することで、前記家屋と前記出入口階段とが固定されるとともに、該ボルト孔へのボルトの締め位置の上下を変化させることで、現場に合わせて階段の高さが調整され、
前記出入口階段の縁下部と上下に細長いボルト孔を備えた階段脚部とをボルトで締着することで、地面に階段が設置されるとともに、該該ボルト孔へのボルトの締め位置の上下を変化させることで、地面と階段との設置性が調整されることを特徴とするランドリー施設。
【発明の詳細な説明】
【０００１】
【発明の属する技術分野】
本発明は内部に洗濯機、衣類乾燥機その他のランドリー装置を組み込んで使用するランドリー施設に関するものである。
【０００２】
【従来の技術】
一般にランドリー施設の設置は、直接現場に資材を運搬して、その現場で施設の建設とランドリー装置の組み込みをしていた。
【０００３】
【発明が解決しようとする課題】
ところが、現地で最初から建てようとすると、建築資材やランドリー装置の運搬だけでも手間と時間がかかり、完成するまでの工期が長くかかるという問題があった。また、移設をしようとすると既存の建物を取り壊さなければならないためコストが余分にかかったり、増設をしようとすると工期が長引いたとき営業に支障を来たしたりするなどの問題があった。
【０００４】
本発明の目的は、上記課題を解決し、資材の運搬を最少限にできてかつ現場での工期を短縮することができるだけでなく、強固に組み上げられて十分な強度を備えるため、利用者が不快に感じるような振動を発生せず、長期間の輸送も可能になり、設置後の移設も容易に行うことができ、さらには、床板の一部に吸気口及び排気口の両方を設けたことで、施設内への雨水侵入と、隣地への排気漏れを防ぐこともでき、また、出入口に雨水が流れ落ちることがなく、出入口階段の高さ調整ができ、現場の地形に関係なく階段の設置が容易にできるランドリー施設を提供することにある。
【０００５】
【課題を解決するための手段】
上記目的を達成するために、本発明のランドリー施設は、輸送可能な強度を備えたコンテナ状構造の家屋と、前記家屋の内部に組み込まれた電気式ランドリー装置とを含み、
前記家屋は、前記ランドリー装置の振動を受けても実質的に振動しないように鋼製の梁を組んでなる床枠と、該床枠から立設した複数の柱と、該柱に周設した壁板と、該柱の上端に架設した上梁と、該上梁に載設した屋根とを含み、
前記床枠は、Ｈ型鋼よりなる外梁と、前記外梁内に縦横に架設された角形鋼よりなる内梁と、前記電気式ランドリー装置が設置される部分に更なる補強と振動対策のため架設されたＨ型鋼よりなる補強梁とを含み、
床板は、コンパネの二重張りとし、さらに前記電気式ランドリー装置が設置される部分は鋼板を設けることで補強されており、
前記床板の一部に吸気口及び排気口の両方を設け、
前記家屋の正面に出入口を設け、該出入口側に雨水が流れ落ちないよう前記屋根に後側ほど下がる片流れ勾配を設け、
前記出入口に出入口階段を設け、
前記出入口階段の縁上部に設けられ上下に細長いボルト孔を備えた階段固定部と、前記外梁とをボルトで締着することで、前記家屋と前記出入口階段とが固定されるとともに、該ボルト孔へのボルトの締め位置の上下を変化させることで、現場に合わせて階段の高さが調整され、
前記出入口階段の縁下部と上下に細長いボルト孔を備えた階段脚部とをボルトで締着することで、地面に階段が設置されるとともに、該該ボルト孔へのボルトの締め位置の上下を変化させることで、地面と階段との設置性が調整されることを特徴とする。
また、ランドリー施設は、前記家屋の給排水用ポートと前記電気式ランドリー装置との間に配設された給排水用配管と、前記家屋の電気配線用ポートと前記電気式ランドリー装置との間に配設された電気配線とを含み、輸送後に設置される現場では前記給排水用ポート及び電気配線用ポートにそれぞれ現場の給排水設備及び電源を接続すれば施設の使用が可能となるように構成した。
【０００６】
前記電気式ランドリー装置としての乾燥機の熱源はガスであり、前記家屋にガス用ポートを設け、該乾燥機と前記家屋のガス用ポートとの間にガス管を配設し、輸送後に設置される現場で前記ガス用ポートに現場のガス設備を接続すれば前記乾燥機の使用が可能となるように構成した。
【０００７】
ここで、電気式ランドリー装置としては、洗濯機（脱水機能を内蔵しているものを含む）、乾燥機等を例示できる。ただし、乾燥機は、その送風ファンは電気式としても、その熱源は電気式よりもコストの面からガス式（燃焼ガス）が好ましい。
【０００９】
次に示す（１）〜（３）を組み合わせることで様々な実施態様が例示できる。
（１）  前記上梁に、輸送用の吊り金具を設ける。
（２）  前記給排水用ポートを、前記家屋の一箇所に集中して配置する。
（３）  前記家屋の内部に、受水槽とポンプとからなる給水装置を備え付ける。
【００１０】
【発明の実施の形態】
以下、本発明を具体化したランドリー施設の実施形態について、図１〜図５を参照して説明する。
図１に示すように、ランドリー施設はコンテナ状構造の家屋１であり、それ自体で輸送可能な強度を備えている。外観は正面の中央部に出入口扉２が設けられ、出入口扉２の下方には出入口階段３が設けられ、正面の左右部にそれぞれ２枚の透明ガラス窓４が設けられ、右側面及び左側面にそれぞれ換気窓５が設けられている。
【００１１】
図２に示すように、家屋１内部には洗濯機６ａ及び乾燥機６ｂを含む電気式ランドリー装置６と、受水槽とポンプとからなる給水装置７と、手洗台８とが組み込まれている。但し、乾燥機６ｂは、その送風ファンは電気式であるが、その熱源はガス式である。給水用ポート９、排水用ポート１０、ガス用ポート１１及び電気配線用ポート１５は家屋１の背面下部の一箇所に集中して配置されている。
【００１２】
洗濯機６ａ及び乾燥機６ｂは家屋１の背面から配管及び配線ができるスペースを確保した位置に、洗濯機６ａ及び乾燥機６ｂの前面を揃えるように一列に近接して配置されている。また、洗濯機６ａと給水用ポート９、排水用ポート１０及び電気配線用ポート１５との間には給水管１２、配水管１３及び電気配線１６が、それぞれ短くコンパクトに配設されている。乾燥機６ｂと排水用ポート１０、ガス用ポート１１及び電気配線用ポート１５との間には配水管１３、ガス管１４及び電気配線１６が、それぞれ短くコンパクトに配設されている。この家屋１が現場に設置されたとき各ポート９、１０、１１、１５にそれぞれ現場の給水設備、排水設備、ガス設備及び電源を接続すれば施設の使用が可能となっている。
【００１３】
なお、ガス管１４にはガス給湯器（図示略）が接続されており、ガス給湯器で作られたお湯は給水管１２を通って電気式ランドリー装置６に供給される。
【００１４】
図３に示すように、電気式ランドリー装置６の振動を受けても実質的に振動せず、長距離輸送にも耐えうる強度を備えるために具体的には、家屋１は鋼製の梁と柱で構成されており、Ｈ型鋼と角形鋼板管よりなる梁を組んでなる床枠１７が設けられ、該床枠１７から四隅と各長辺間に２本の計８本の角形鋼管よりなる柱１８が立設され、該柱１８にコルゲート鋼板よりなる外板１９が周設され、該柱１８の上端に角形鋼板管よりなる上梁２０が架設され、該上梁２０に平板よりなる屋根２１が載設されてなる。「実質的に振動しない」とは、ランドリー施設の利用者が不快と感じるような振動は発生しないということである。
【００１５】
床枠１７はＨ型鋼よりなる外梁２２にて外枠が形成され、この外枠内は角形鋼よりなる内梁２３により縦横に架設されている。さらに、図４に示すように、電気式ランドリー装置６が設置される部分には更なる補強と振動対策のためさらにＨ型鋼による補強梁２４が架設されている。
【００１６】
上梁２０の各長辺にそれぞれ２本の吊り金具２５が設けられており、該吊り金具２５に設けられている孔にクレーンを引っかけることでランドリー施設の上吊り荷役ができるようになっている。
【００１７】
家屋１の内装について、床板はコンパネの二重張りとし、さらに、電気式ランドリー装置６が設置される部分には鋼板を設けることで補強されている。
【００１８】
出入口扉２側に雨水が流れ落ちないよう屋根２１には後側ほど下がる１００ｍｍの片流れ勾配が設けられている。
【００１９】
図５に示すように、出入口階段３は現場の形状に合わせて高さ調整ができ、出入口階段３の縁上部に設けられボルト孔を備えた階段固定部２６と、外梁２２とをボルトで締着することで家屋１と出入口階段３とが固定され、出入口階段３の縁下部とボルト孔を備えた階段脚部２７とをボルトで締着することで地面に階段が設置される。階段固定部２６と階段脚部２７に備えられたボルト孔は上下に細長く形成されているためボルトの締め位置の上下を変化させることで階段固定部２６は階段の高さを、階段脚部２７は地面と階段との設置性を調整することができる。
【００２０】
このように構成されたランドリー施設によれば、以下に示す（１）〜（６）の効果が得られる。
（１）  工場でコンテナ状構造の家屋１に電気式ランドリー装置６を組み込んだ状態で現場に輸送し、現場では給排水設備、ガス設備及び電源の接続をするだけでよいため、資材の運搬を最少限にできかつ現場での工期を短縮することができる。
（２）  前記コンテナ状構造が鋼製の梁によって強固に組み上げられているため十分な強度を備え、不快な振動が発生しない。さらに梁上に吊り金具２５が設けられているため、長期間の輸送も可能になり、設置後の移設や増設も容易に行うことができる。
（３）  各ポート９、１０、１１、１５を家屋１の背面に一箇所に集中して配置し、前記各ポートとランドリー装置との間には給水管１２、配水管１３、ガス管１４及び電気配線１６を短くコンパクトに配設することで、工場での工事を短縮でき、また、ランドリースペースが広くとることができる。
（４）  床板の一部に吸気口及び排気口を貫設して設けたため、雨水の施設内への侵入や隣地への排気漏れを防ぐことができる。
（５）  屋根２１に片流れ勾配を設けたことで、出入口に雨水が流れ落ちることがなくなった。
（６）  出入口階段３の高さ調整ができるようにしたことで、現場の地形に関係なく階段の設置が容易にできる。
【００２１】
なお、本発明は前記実施形態の構成に限定されず、例えば以下のように、発明の趣旨から逸脱しない範囲で適宜変更して具体化することもできる。
（１）補強梁２４を床枠１７の全体に渡って設ける。
（２）屋根２１又は上梁２０に看板を設ける。
【００２２】
【発明の効果】
以上詳述したように、請求項１の発明に係るランドリー施設によれば、資材の運搬を最少限にできかつ現場での工期を短縮することができるだけでなく、強固に組み上げられて十分な強度を備えるため、利用者が不快に感じるような振動を発生せず、長期間の輸送も可能になり、設置後の移設も容易に行うことができ、さらには、床板の一部に吸気口及び排気口の両方を設けたことで、施設内への雨水侵入と、隣地への排気漏れを防ぐこともでき、また、出入口に雨水が流れ落ちることを防ぐことができ、階段の設置が現場に関係なく容易にできる。
【図面の簡単な説明】
【図１】本発明を具体化した実施形態のランドリー施設の斜視図である。
【図２】同ランドリー施設の使用状態を示す断面図である。
【図３】同ランドリー施設の構造を示す斜視図である。
【図４】同ランドリー施設のランドリー装置下における補強構造を示す斜視図である。
【図５】同ランドリー施設の出入口階段の構造を示す斜視図である。
【符号の説明】
１    家屋
２    出入口扉
３    出入口階段
４    透明ガラス窓
５    換気窓
６    電気式ランドリー装置
６ａ  洗濯機
６ｂ  乾燥機
７    給水装置
８    手洗台
９    給水用ポート
１０    排水用ポート
１１    ガス用ポート
１２    給水管
１３    配水管
１４    ガス管
１５    電気配線用ポート
１６    電気配線
１７    床枠
１８    柱
１９    外板
２０    上梁
２１    屋根
２２    外梁
２３    内梁
２４    補強梁
２５    吊り金具
２６    階段固定部
２７    階段脚部
【図１】
0004615675.tif 000002
【図２】
0004615675.tif 000003
【図３】
0004615675.tif 000004
【図４】
0004615675.tif 000005
【図５】
0004615675.tif 000006